(57)【要約】【課題】異なる規格のメスコネクタに対応させて変換接続し、それぞれ電気的導通を形成することができる、空間変換機能を備えたプラグアセンブリを提供すること。【解決手段】アダプタヘッドが受入開口３１を備え、受入開口３１の内部に懸空板３０１が設置され、懸空板３０１の上表面に複数の平置端子３０２が設置され、揺動プラグ４の一端にケーブル４０が接続され、他端に平置端子３０２と接触して導通可能な複数の面接続端子４３が設置され、可動連結装置３３０が、受入開口３１から延伸されたサイド延伸板３２の末端に設置されて、揺動プラグ４の基部に可動的に連結され、揺動プラグ４を揺動させて揺動プラグ４とアダプタヘッドを結合した時、平置端子３０２と面接続端子４３が電気的に接続され、アダプタヘッドと揺動プラグ４を分離した時、両者を独立して使用できる。【選択図】図２
0003198843.tif 000002
【実用新案登録請求の範囲】
【請求項１】
空間変換機能を備えたプラグアセンブリであって、アダプタヘッド、揺動プラグ、可動連結装置を含み、前記アダプタヘッドは受入開口を備え、前記受入開口の内部に懸空板が設置され、懸空板の上表面に複数の平置端子が設置されると共に、下方に間隙をあけて磁気防止機能を備えたＵ字形の半開包囲体が設置され、これにより受入側アセンブリが形成され、前記受入開口に前記平置端子と電気的に導通された変換端子が外側に向けて設置され、前記揺動プラグは一端にケーブルが接続され、自由端に前記平置端子と接触して導通可能な複数の面接続端子が設置され、前記面接続端子とケーブルが電気的に導通され、前記面接続端子の上方の外囲が冂字形の磁気防止機能を備えた磁気防止カバーで被覆されて圧接側アセンブリが形成されるとともに、前記磁気防止カバーの両側に嵌置板が設けられ、前記可動連結装置は、受入開口から延伸されたサイド延伸板の末端に設置され、かつ揺動プラグの基部に可動的に連結され、揺動プラグを揺動させてアダプタヘッドの受入開口に着脱可能であり、半開包囲体の両側の保持側面で、磁気防止カバーの両側に設けられた嵌置板を押さえて、揺動プラグとアダプタヘッドを結合したとき圧接側アセンブリと受入側アセンブリとの接触を維持させて位置決めするとともに、全周囲の磁気防止機能が形成されることを特徴とする、空間変換機能を備えたプラグアセンブリ。
【請求項２】
前記半開包囲体が、弾性を備えた金属板体を折り曲げて形成されたことを特徴とする、請求項１に記載の空間変換機能を備えたプラグアセンブリ。
【請求項３】
前記保持側面と前記嵌置板の相対する位置に、それぞれ相互に係合可能な凹陥部と突起部が設けられたことを特徴とする、請求項１に記載の空間変換機能を備えたプラグアセンブリ。
【請求項４】
前記保持側面と前記嵌置板の相対する位置に、それぞれ相互に係合可能な線状溝部と張り出し部が設けられたことを特徴とする、請求項１に記載の空間変換機能を備えたプラグアセンブリ。
【請求項５】
前記受入開口の上方の開口表面において、前記可動連結装置と対向する他方の一側にカバー板が設置されたことを特徴とする、請求項１に記載の空間変換機能を備えたプラグアセンブリ。
【請求項６】
前記揺動プラグに形成される圧接側アセンブリの外観の横方向断面の輪郭形状が、標準規格のプラグ接続端と同じであることを特徴とする、請求項１に記載の空間変換機能を備えたプラグアセンブリ。
【請求項７】
前記アダプタヘッドの受入側アセンブリの横方向断面の輪郭形状が、標準規格のメスコネクタと同じであることを特徴とする、請求項１に記載の空間変換機能を備えたプラグアセンブリ。
【請求項８】
前記受入開口の前端部の側面上縁部に張り出し部が設けられたことを特徴とする、請求項１に記載の空間変換機能を備えたプラグアセンブリ。
【請求項９】
前記可動連結装置が連結棒であり、前記連結棒に設けられた第１枢結部が前記サイド延伸板に可動的に連結され、前記連結棒に設けられた第２枢結点が前記揺動プラグの基部に可動的に連結されたことを特徴とする、請求項１に記載の空間変換機能を備えたプラグアセンブリ。
【考案の詳細な説明】
【技術分野】
【０００１】
本考案は、空間変換機能を備えたプラグアセンブリに関し、少なくとも２種類のメス側の規格に対応してそれぞれ電気的接続の操作を提供するプラグアセンブリに関する。
【背景技術】
【０００２】
電気的な接続において、特に情報信号の接続に使用するＵＳＢ等は、そのオス側とメス側にそれぞれ複数の相互に対応する導電片が設置され、それらが相互に接触して電気的導通が形成される。
図１に示すように、一般的なＵＳＢ座体１は、外囲に機械的保護と磁気防止効果を備えた埋め込み包囲体１０が設置され、内部に縣空状に縦方向に延伸して設置された絶縁性を有する絶縁板１１を備え、絶縁板１１の上表面に複数の受入端子１１０が設けられ、さらに埋め込み包囲体１０の内面に、内側に向かって弾性を備えて突出した弾性支持板１１１が設置される。
オスコネクタ２は、その外囲が磁気防止包囲体２０で囲まれ、磁気防止包囲体２０の上半部に絶縁性の支持板２１が組み込まれる。前記支持板２１は、絶縁板１１と対面する方向に複数の接触端子２１０を備え、接触端子２１０と受入端子１１０が相互に接触可能であり、オスコネクタ２の全体を外側から縦方向に挿入すると、接触端子２１０が受入端子１１０に対して押圧されて接触し、電気的導通が形成される。
【０００３】
組み立て後、オスコネクタ２の磁気防止包囲体２０の下側表面が絶縁板１１の下側表面を支持し、磁気防止包囲体２０本体の構造を利用して、その下側表面が絶縁板１１の下側表面を支持するよう嵌合することで引き寄せる力を発生し、接触端子２１０を受入端子１１０に効果的に接触させて電気的導通を確保することができる。
磁気防止包囲体２０の外囲は座体１内部に設置された弾性支持板１１１に付勢され、補助的な位置決めが達成され、オスコネクタ２を正確に位置決めして、座体１から脱落しにくくする。
【０００４】
以上は、縦方向に挿入して連結するＵＳＢの接続後の態様を説明したものである。現在の情報器材は多様化しており、単一規格のプラグではさまざまな情報器材にそれぞれ設けられた異なる規格のメスコネクタに対応させて挿入することができないため、変換の概念が生まれており、プラグ規格を変換する設計を備えたものが登場している。
例えば、特許文献１には、複合型簡易プラグが開示されている。この簡易プラグは上方が開口した凹槽が設けられた絶縁ハウジングを備え、凹槽内部に複数の端子が露出されており、凹槽の一端に枢結部が設けられ、ネットワーク用プラグを枢結して前記凹槽内で枢動可能とする。前記ネットワーク用プラグは第２枢結部を備え、ハウジングの第１枢結部に連結されて枢動する結合関係が形成され、ネットワーク用プラグが凹槽内部の端子に電気的に接続されて電気信号の導通が達成される。凹槽の壁面にツメ部が設けられ、ネットワーク用プラグ前端両側の切欠部を保持してネットワーク用プラグをハウジングに組み込んだ後、しっかりと位置決めされるようにしている。
【０００５】
上記従来のものは、ネットワーク用プラグを可動的にハウジングの凹槽内に枢着し、ハウジング他端に設置されたＵＳＢコネクタを情報器材に接続して電気を伝導するものであり、ネットワーク用プラグを回動させ、独立して応用すれば、ネットワークコネクタに接続して電気的に導通させることができる。さらに、ネットワーク用プラグとハウジングの組み立て後、外囲の磁気防止効果が排除され、またネットワーク用プラグの揺動半径で凹槽に嵌入させるため、凹槽上方の端子コネクタの上方を全面的に開放する必要がある。
【０００６】
上記従来のものの機能としては、ネットワーク用プラグを離脱させた後、独立して一般的な標準のネットワークレセプタクルに接続できるようにしているが、ハウジングの構造は合わせて設計されたネットワーク用プラグ専用であり、その他外部の標準的なネットワーク用プラグの使用に供することはできなかった。
【先行技術文献】
【特許文献】
【０００７】
【特許文献１】台湾特許第Ｉ３０３９０５号明細書
【考案の概要】
【考案が解決しようとする課題】
【０００８】
本考案が解決しようとする課題は、基本的には２種類の規格のコネクタを複合したアセンブリであって、異なる規格のメスコネクタに対応させて変換接続し、それぞれ電気的導通を形成することができる、空間変換機能を備えたプラグアセンブリを提供することにある。
【課題を解決するための手段】
【０００９】
本考案の空間変換機能を備えたプラグアセンブリは、アダプタヘッド、揺動プラグ、可動連結装置を含み、前記アダプタヘッドは受入開口を備え、前記受入開口の内部に懸空板が設置され、懸空板の上表面に複数の平置端子が設置されると共に、下方に間隙をあけて磁気防止機能を備えたＵ字形の半開包囲体が設置され、これにより受入側アセンブリが形成され、前記受入開口に前記平置端子と電気的に導通された変換端子が外側に向けて設置され、前記揺動プラグは一端にケーブルが接続され、自由端に前記平置端子と接触して導通可能な複数の面接続端子が設置され、前記面接続端子とケーブルが電気的に導通され、前記面接続端子の上方の外囲が冂字形の磁気防止機能を備えた磁気防止カバーで被覆されて圧接側アセンブリが形成されるとともに、前記磁気防止カバーの両側に嵌置板が設けられ、前記可動連結装置は、受入開口から延伸されたサイド延伸板の末端に設置され、かつ揺動プラグの基部に可動的に連結され、揺動プラグを揺動させてアダプタヘッドの受入開口に着脱可能であり、半開包囲体の両側の保持側面で、磁気防止カバーの両側に設けられた嵌置板を押さえて、揺動プラグとアダプタヘッドを結合したとき圧接側アセンブリと受入側アセンブリとの接触を維持させて位置決めするとともに、全周囲の磁気防止機能が形成される。
【００１０】
前記半開包囲体は、弾性を備えた金属板体を折り曲げて形成される。
前記保持側面と前記嵌置板の相対する位置に、それぞれ相互に係合可能な凹陥部と突起部が設けられる。
前記保持側面と前記嵌置板の相対する位置に、それぞれ相互に係合可能な線状溝部と張り出し部が設けられる。
前記受入開口の上方の開口表面において、前記可動連結装置と対向する他方の一側にカバー板が設置される。
前記揺動プラグに形成される圧接側アセンブリの外観の横方向断面の輪郭形状が、標準規格のプラグ接続端と同じである。
前記アダプタヘッドの受入側アセンブリの横方向断面の輪郭形状が、標準規格のメスコネクタと同じである。
前記受入開口の前端部の側面上縁部に張り出し部が設けられる。
前記可動連結装置が連結棒であり、前記連結棒に設けられた第１枢結部が前記サイド延伸板に可動的に連結され、前記連結棒に設けられた第２枢結点が前記揺動プラグの基部に可動的に連結される。
【考案の効果】
【００１１】
本考案によれば、少なくとも２種類のメスコネクタの規格に対応し、それぞれ電気的に接続可能であり、揺動によってアダプタヘッドと揺動プラグの電気的着脱関係を操作し、組み立てた状態では、全周囲の磁気防止効果が得られ、磁気防止部材の閉じ合わせ動作を直接利用して位置決めと組み立てを行うことができる。
【００１２】
本考案は、受入開口を形成したアダプタヘッドを利用し、外部に向けて変換端子を設け、受入開口の内部に水平に１セットの平置端子が設置され、平置端子が変換端子に電気的に導通され、平置端子は半開包囲体により包囲され、上方に上開口を備えている。アダプタヘッドと揺動可能に結合された揺動プラグは、自由端に平置端子に相対する面接続端子を備え、面接続端子の外囲が磁気防止機能を備えた磁気防止カバーにより覆われ、揺動プラグをアダプタヘッドに組み込んだ後、面接続端子と平置端子が電気的に導通され、かつ磁気防止カバーと半開包囲体の両側から上に向けて設けられた保持側面の間で機械的な係止動作が得られ、それにより揺動プラグとアダプタヘッドの組み立て時の位置決め力が確保され、二者を閉じ合わせた後全周囲に磁気防止効果が形成される。
【００１３】
本考案は、アダプタヘッドに設けられた受入開口の上方に、カバー板が設置され、揺動プラグをアダプタヘッドに組み込んだ後、揺動プラグがずれないように効果的に押さえることができ、アダプタヘッドを揺動プラグの接続に用いないときは、カバー板とアダプタヘッドの組み立てにより、縦方向差込口を形成し、一般的な標準規格のプラグを縦方向に挿入することができる。
【００１４】
揺動プラグは、可動連結装置を介してアダプタヘッドの受入開口に揺動可能に組み込まれ、可動連結装置はさらに連結棒を備え、アダプタヘッドと揺動プラグ間に介入され、連結棒の介入を利用して、揺動プラグをアダプタヘッドに組み込む行程の経路中で、多様な角度で受入開口に嵌入させることができる。また受入開口の上方に別途張り出し部を設けて組み立て後の位置決め作用を形成し、受入開口を半開放空間として、揺動プラグを離脱させた後、アダプタヘッドに独立した差込口を形成し、一般的な標準規格のプラグを縦方向に挿入できるようにしてもよい。
【００１５】
揺動プラグはアダプタヘッドから離脱された後、一般的な標準規格のレセプタクルに独立して挿入することができる。
【００１６】
本考案は、少なくとも２種類のメス側の規格に対応してそれぞれ電気的に接続でき、揺動によりアダプタヘッドと揺動プラグの着脱を操作し、組み立てた時、周囲の磁気防止機能が得られ、磁気防止部材を直接利用して組み立て後の位置決めを達成し、分離後両者をそれぞれ独立して応用することができる。
【図面の簡単な説明】
【００１７】
【図１】一般的なＵＳＢコネクタの組み立て後における端子の相互対応関係を示す断面図である。
【図２】本考案のアダプタヘッドと揺動プラグの基礎構造を示す斜視図である。
【図３】本考案の揺動プラグ及びアダプタヘッドの組み込んだ状態を示す斜視図である。
【図４】本考案の揺動プラグをアダプタヘッドに組み込んだ状態の電気的接触関係を示す側面断面図である。
【図５】本考案のアダプタヘッドの受入開口にカバー板を設置した状態を示す透視斜視図である。
【図６】本考案のカバー板の揺動プラグ上表面に対する作用を示す側面断面図である。
【図７】本考案のカバー板を閉じた後アダプタヘッドの内部に差込口が形成された状態を示す断面図である。
【図８】本考案のカバー板を閉じた後標準規格のオスコネクタを縦方向に挿抜する組み合わせを示す断面図である。
【図９】本考案のカバー板をアダプタヘッドに閉じ合わせた後に形成される差込口に標準規格のＵＳＢコネクタを挿入した時の組み合わせ関係を示す斜視図である。
【図１０】本考案の可動連結装置に連結棒を設置してアダプタヘッドと揺動プラグを連結した状態を示す側面図である。
【図１１】本考案の可動連結装置に連結棒を設置して揺動プラグを組み込んだ後上方にカバー板を閉じ合わせた状態を示す側面図である。
【考案を実施するための形態】
【００１８】
本考案は、多用途の接続変換機能を備えたプラグアセンブリに関し、かつ一般的なＵＳＢコネクタなどに任意に実施して、いずれも磁気防止効果を具備させることができる。対面して組み立てられるアダプタヘッドと揺動プラグの部分にそれぞれ上開口と下開口が設けられ、かつ上開口と下開口を構成する磁気防止半開包囲体の両側と嵌置板を組み立てた時、両者の機械的係止力を利用して揺動プラグとアダプタヘッドを組み立てた状態に位置決めすることができる。また揺動プラグとアダプタヘッドを分離した後は、揺動プラグを独立した状態で使用してその他の情報器材に設けられたメスコネクタに接続することができる。アダプタヘッドに設けられた受入開口の内部に縦方向差込口を形成することができ、外部の一般的な規格のオスコネクタを挿入し、挿入した後、アダプタヘッドに設けられた変換端子により異なる規格に変換接続することができる。アダプタヘッドに設けられた受入開口の上方には開閉可能なカバー板が設置され、カバー板は揺動プラグを補助的に押圧して位置決めすることができ、また揺動プラグを組み込まない状況において、カバー板と受入開口の組み立てにより一般的な規格のメス側差込口を形成し、その他の標準規格のプラグを挿入することができる。原則的に、アダプタヘッドと揺動プラグを分離した時、両者はいずれも独立して使用する、または使用に供することができる。
【００１９】
上述したアダプタヘッドと揺動プラグの揺動可能な連結構造では、連結棒を用いて揺動プラグをアダプタヘッドに向けて移動させる過程で、多様な角度の経路で移動させることができ、受入開口は半開放式とすることができ、受入開口が半開放式の状況下で、受入開口内部は一般的な標準規格のメスコネクタを独立して形成することができ、外部に対して設けられた変換端子により異なるコネクタの規格に変換することで、多重の応用が可能な設計となっている。
【００２０】
本考案のプラグアセンブリは、本体上に組み立てた後、磁気防止と、既有の部材で位置決めされる必要があり、受入開口の上方にカバー板が設置され、それにより揺動プラグを効果的に圧着し、アダプタヘッドに挿入した後の位置決め補助効果が得られ、カバー板の介入でアダプタヘッドの平置端子に一般規格のメス側コネクタが形成され、連結棒の介入で揺動プラグをアダプタヘッドに移動させる経路で、多角度の形態で挿入させることができ、かつアダプタヘッドの受入開口に張り出し部が設けられ、それにより受入開口が半放開式になり、かつ揺動プラグを挿入した後張り出し部の下縁で係止して位置決めし、揺動プラグを離脱させた後は張り出し部が平置端子に相対して一般的な規格のメスコネクタを構成し、使用に供することができる。
【００２１】
本考案の実施例について、図面を参照しながら以下で説明する。
図２に示すように（説明上の利便性のため、本説明ではＵＳＢコネクタを例とする)、本考案のプラグアセンブリは、ケーブル４０の一端に組み込まれ、ケーブル端を電気的に接続するものであり、ケーブル４０の一端に揺動プラグ４が連結される。揺動プラグ４は可動連結装置３３０を介してアダプタヘッド３に可動的に組み込まれる。揺動プラグ４は揺動させてアダプタヘッド３の受入開口３１内に挿入される。
受入開口３１の内部には平置端子３０２が並べて設置され、受入側アセンブリ１０３が形成される。揺動プラグ４の自由端に面接続端子４３が並べて設置され、圧接側アセンブリ２０４が形成される。両者は可動連結装置３３０の作用により面接触し、ケーブル４０を変換端子３００に電気的に変換接続することができる。
また、揺動プラグ４の基部に軸部４１が設置され、受入開口３１から後ろに延伸されたサイド延伸板３２側面に設けられた枢結孔３３に連結され、組み立て後、揺動プラグ４はアダプタヘッド３に対して揺動可能となる。
【００２２】
揺動プラグ４の自由端には、断面冂字形の半被覆式磁気防止カバー４２が設置され、磁気防止カバー４２は台板４３０を介して面接続端子４３を被覆し、圧接側アセンブリ２０４が構成される。磁気防止カバー４２は、面接続端子４３の接合面に相対して下開口４２０が開設され、磁気防止カバー４２の両側にはそれぞれ嵌置板４２１が形成され、その全体的断面輪郭の形状と寸法は、標準的規格のオスコネクタと同じである。
【００２３】
アダプタヘッド３には受入開口３１が設けられ、受入開口３１内部において、揺動プラグ４の面接続端子４３と相対する位置に受入側アセンブリ１０３が設けられる。受入側アセンブリ１０３は複数の配列された平置端子３０２で構成され、これら平置端子３０２は懸空板３０１により支持される。懸空板３０１は受入開口３１の内部に突出して張り出しており、懸空板３０１の下方には間隙を形成して磁気防止Ｕ字形半開包囲体３４が設置される。半開包囲体３４の両側は上方向に延伸されて保持側面３４１が形成され、２つの保持側面３４１の距離は揺動プラグ４の両側の嵌置板４２１間の幅を被覆でき、かつ保持側面３４１は弾性的押圧作用を備え、嵌置板４２１を押圧して機械的な摩擦定着力を形成する。アダプタヘッド３の半開包囲体３４底面に底部を保護するトレイ３５が設けられ、アダプタヘッド３の他端に変換端子３００が設置される。変換端子３００の内部には同様に複数の接続端子(図示しない)が設置され、これらの端子は平置端子３０２に電気的に導通される。
基本的な変換接続の概念は、面接続端子４３が平置端子３０２に接触された時、ケーブル４０の電気が変換端子３００に導通されるが、揺動プラグ４の規格は変換端子３００と異なるというものである。
【００２４】
図３及び図４に示すように、揺動プラグ４をアダプタヘッド３の受入開口３１の方向に揺動させて、可動連結装置３３０の作用により揺動プラグ４を揺動させ、揺動プラグ４に設けられた磁気防止カバー４２の嵌置板４２１を半開包囲体３４の両側の保持側面３４１に嵌置すると、保持側面３４１は金属片であるため弾性を備え、磁気防止カバー４２両側の嵌置板４２１表面を効果的に保持して、機械的な摩擦定着力が形成される。或いは任意の凹凸点(図示しない)を嵌置板４２１または保持側面３４１を組み立てたときに相対する位置に設けても、同様に揺動プラグ４に対して組み立て後の保持と位置決めの効果を発揮できる。保持側面３４１と嵌置板４２１両者の相互嵌置と位置決めにより、揺動プラグ４は離脱しにくくなり、かつ設けられた磁気防止カバー４２及び嵌置板４２１と、半開包囲体３４及び保持側面３４１の間で、全周囲を被覆した磁気防止機能が形成され、磁気の端子を通過する電気に対する影響を回避できる。
【００２５】
図４に示すように、揺動プラグ４は可動連結装置３３０を介して揺動し、アダプタヘッド３に結合され、可動連結装置３３０は枢結孔３３及と軸部４１の枢結作用により、揺動プラグ４をその半径長さに基づいて揺動させることができ、図３に示すように組み立てた時、台板４３０に設けた面接続端子４３がアダプタヘッド３に設けた懸空板３０１の上表面の平置端子３０２に押し当てられ、両者間が接触して導通されることで、ケーブル４０の電気が面接続端子４３と平置端子３０２の接触を経て変換端子３００に伝導され、変換端子３００を他の規格のメス側に電気的に接続することができる。
【００２６】
揺動プラグ４をアダプタヘッド３から離脱させた時、揺動プラグ４は独自でＵＳＢコネクタなど一般的な規格のプラグを形成し、コンピュータ上のＵＳＢレセプタクルなどその他の器材に接続して使用することができる。
【００２７】
アダプタヘッド３の受入開口３１内部に設けた受入側アセンブリ１０３は、Ｕ字形の半開包囲体３４及び保持側面３４１により半開放状態に被覆され、これも独立して標準規格のメスコネクタとして、他の標準規格のＵＳＢオスコネクタの挿入に供することができる。受入側アセンブリ１０３に半開包囲体３４を組み込んだ後、挿入に供する空間を横方向から見た断面形状は、標準的なメス側差込口の断面と同じであり、プラグが接続されて位置決めされた状態は、図１に示すように、オスコネクタ２に設けられた磁気防止包囲体２０の下面が、挿入後に座体１の絶縁板１１の下表面を支持し、オスコネクタ２の接触端子２１０が圧迫力を受けて絶縁板１１の受入端子１１０に押し当てられ、確実に電気的に導通される。また、一般的な標準規格のＵＳＢコネクタは、その外囲が磁気防止包囲体２０により磁気から保護されているため、図４の懸空板３０１に接続した後、保持側面３４１と半開包囲体３４の磁気防止を考慮する必要はないが、保持側面３４１により挟み込まれることで、アースとして潜在的な電子を逃がすことができ、かつ保持側面３４１と懸空板３０１の下縁の間に形成された間隙に、図１のようなオスコネクタ２に設けられた磁気防止包囲体２０の両側及び下面が挿入されて、立体角度の定着を形成する。アダプタヘッド３は独立したメスコネクタとして、外部の標準規格のＵＳＢコネクタの挿入に供し、変換端子３００に導通することができ、アダプタヘッド３に多様な使用方法を具備させることができる。
【００２８】
本考案はまた、別の概念として、カバー板５(図５参照)を利用することができる。カバー板５は、主に閉じ合わせたときに懸空板３０１の上方を垂直に遮蔽するように、任意の組込み方法で受入開口３１の上方に結合させることができる。その組込み方法は、摺動や嵌合、あるいは枢結等の方法とすることができ、本実施例では枢結の方法を例として説明する。カバー板５は、横方向の軸で枢結することにより、受入開口３１の上方に、変換端子３００の前端に向けて組み込まれ、懸空板３０１の垂直面積を覆い、カバー板５は上方向に開閉可能にアダプタヘッド３に組み込まれる。上述の摺動または嵌合の方法でカバー板５を組み込んでも、同様に上方向に開閉させることができる。
【００２９】
図６に示すように、前記カバー板５の作用は、閉じ合わせて使用するだけでなく、揺動プラグ４をアダプタヘッド３に組み込んだ後、カバー板５の前後に設けられた下圧縁部５０と当接点５１０を利用して、揺動プラグ４の磁気防止カバー４２の上表面を押さえることができる。特に、当接点５１０はカムによる偏心回転方式で当接され、その半径は枢軸５１と組込み後の磁気防止カバー４２の上面との距離より長いため、枢軸５１の枢結により、揺動カバー板５で押さえた時、当接点５１０が垂直線を通って後退し、この時、カバー板５に磁気防止カバー４２の上表面を水平に押圧させることができ、その力が下圧縁部５０に分布されて、カバー板５は２点で磁気防止カバー４２の上表面を押圧することができる。揺動プラグ４を離脱させるときは、カバー板５を持ち上げて後ろへ回動させれば、空間が解放されて揺動プラグ４を取り出すことができる。
【００３０】
図７と図８に示すように、受入開口３１にカバー板５を設けた設計は、カバー板５が枢軸５１により受入開口３１上方に変換端子３００の一側に向けて枢結され、下へ閉じ合わせると、設けられた下圧縁部５０と当接点５１０が定点位置に来るが、この定点位置は半開包囲体３４と保持側面３４１で囲まれた区間内に差込口１００を形成させることができ、内部には懸空板３０１と平置端子３０２が配置され、この差込口１００にその他外部の一般的な標準規格のＵＳＢコネクタを縦方向に挿入させることができる（図８参照)。この一般的な標準規格のオスコネクタ２は上述のカバー板５を閉じ合わせた後に前後の縦方向に挿抜することができ、差込口１００に挿入した後ケーブル２００の電気が変換端子３００に伝導される。
【００３１】
図９に示すように、図８のように差込口１００を形成してから、外部の標準規格のオスコネクタ２を接続すると、接触端子２１０と平置端子３０２の外囲が磁気防止包囲体２０により被覆され、磁気防止包囲体２０の下面が懸空板３０１の底面を支持することで形成される力によって接触端子２１０が懸空板３０１上表面の平置端子３０２に押し当てられ、定着性の組込みが形成され、磁気防止包囲体２０の上表面が下圧縁部５０または当接点５１０の作用を受けて、摩擦力によりオスコネクタ２が脱落しにくくなる。
【００３２】
カバー板５は枢軸５１により受入開口３１の位置に組み込まれ、カバー板５と受入開口３１の両者を閉じ合わせた時の対応位置に、任意の凹凸係合構造(図示しない)を設置するか、凹陥部と突起部を相互に係合させる構造を設けて瞬時に固定することができ、このため未使用の状況下では、設置された下圧縁部５０または当接点５１０が懸空板３０１の空間に対して差込口１００を形成し、外部の標準規格のＵＳＢオスコネクタを挿入することができる。また上述の凹凸係合構造は、線状溝部と張り出し部の相互係合構造としてもよい。
【００３３】
図１０に示すように、揺動プラグ４とアダプタヘッド３間の揺動可能な接続関係は、可動連結装置３３０をアダプタヘッド３の後端部に連結することにより提供される。可動連結装置３３０は、連結棒６を介在することによりアダプタヘッド３と揺動プラグ４間を連結し、連結棒６の第１枢結点６１がアダプタヘッド３に可動的に連結され、連結棒６他端の第２枢結点６２が揺動プラグ４に可動的に連結され、連結棒６の揺動半径により、揺動プラグ４をアダプタヘッド３に対して水平に支持または下方に押圧させることができ、または第２枢結点６２の枢結関係を利用して、揺動プラグ４が受入開口３１に出入する揺動行程Ｌの過程で、自由に角度を変換し、多様な角度でアダプタヘッド３に嵌入させることができる。
アダプタヘッド３の部位には保持側面３４１が設けられ、磁気防止カバー４２の嵌置板４２１を押さえて保持し、揺動プラグ４をアダプタヘッド３に組み込んだときに結合と位置決めが得られる。揺動プラグ４はアダプタヘッド３から離脱させた後、一般的な規格のオスコネクタとして独立して使用することができる。
【００３４】
受入開口３１の一端の変換端子３００近くの一側に張り出し部３６が設けられる。張り出し部３６は懸空板３０１の上方を部分的につばのように封鎖して、懸空板３０１上方の上開口３１０を半開放状にすることができ、張り出し部３６の下縁部に、磁気防止カバー４２の前端部を一定の傾斜角度で挿入させ、挿入後、張り出し部３６の下縁部を利用して磁気防止カバー４２の前端部上表面を押圧し、磁気防止カバー４２の内部に設置された接触端子(図示しない）を懸空板３０１の平置端子３０２の方向に効果的に押さえることができる。張り出し部３６は一部がつばのように平置端子３０２の前端部を垂直に阻隔して、受入開口３１の上半部の空間(上開口３１０)の範囲を半開放式にすることができ、張り出し部３６の下縁部が押圧能力を備えているため、挿入された揺動プラグ４に設けられた嵌置板４２１を押さえて瞬時に位置決めすることができる。
【００３５】
図１１に示すように、受入開口３１上方の開口の変換端子３００近くの一側にカバー板５が枢結され、前記カバー板５は可動連結装置３３０を介して進入される揺動プラグ４の上表面を押圧することができ、可動連結装置３３０は連結棒６の介入により、揺動プラグ４を多様な角度の形態で斜めにアダプタヘッド３の受入開口３１に進入させることができ、カバー板５には下圧縁部５０と当接点５１０が設けられているため、２点の押圧作用により、組み込まれた揺動プラグ４の上表面を押さえ、揺動プラグ４を懸空板３０１に設けられた平置端子３０２にしっかりと押圧して電気的に導通させ、ケーブル４０の信号を変換端子３００に伝達することができる。
【００３６】
図１０と図１１に示す状態は、揺動プラグ４を離脱させた時、図７に示すように、懸空板３０１の部位にはいずれもオスコネクタ２が形成され、外部の標準規格のＵＳＢコネクタを長手方向に挿入して接続するために供することができる。カバー板５は枢軸５１でアダプタヘッド３に枢結されるほか、カバー板５の自由端と受入開口３１を閉じ合わせたときに相対する表面位置に、それぞれ凹凸の係止点を設け、カバー板５を閉じた時、瞬時に位置決め固定できるようにしてもよく、固定後に形成される差込口１００は外部の一般的な規格のその他ＵＳＢコネクタの挿入に供することができる。
【符号の説明】
【００３７】
１        座体
１０      埋め込み包囲体
１１      絶縁板
１０３    受入側アセンブリ
１１０    受入端子
１１１    弾性支持板
１００    差込口
２        オスコネクタ
２０      磁気防止包囲体
２００    ケーブル
２０４    圧接側アセンブリ
２１      支持板
２１０    接触端子
３        アダプタヘッド
３００    変換端子
３０１    懸空板
３０２    平置端子
３１      受入開口
３１０    上開口
３２      サイド延伸板
３３      枢結孔
３３０    可動連結装置
３４      半開包囲体
３４１    保持側面
３５      トレイ
３６      張り出し部
４        揺動プラグ
４０      ケーブル
４１      軸部
４２      磁気防止カバー
４２０    下開口
４２１    嵌置板
４３      面接続端子
４３０    台板
５        カバー板
５０      下圧縁部
５１      枢軸
５１０    当接点
６        連結棒
６１      第１枢結点
６２      第２枢結点
Ｌ        動作工程
【図１】
0003198843.tif 000003
【図２】
0003198843.tif 000004
【図３】
0003198843.tif 000005
【図４】
0003198843.tif 000006
【図５】
0003198843.tif 000007
【図６】
0003198843.tif 000008
【図７】
0003198843.tif 000009
【図８】
0003198843.tif 000010
【図９】
0003198843.tif 000011
【図１０】
0003198843.tif 000012
【図１１】
0003198843.tif 000013